(57)【特許請求の範囲】
【請求項１】
海底に着底し発芽生育する海中植物繁殖体と、撒き餌を含有することを特徴とする海中植物育成集魚材。
【請求項２】
海中植物繁殖体を土壌改良資材でコーティングしてなることを特徴とする請求項１に記載の海中植物育成集魚材。
【発明の詳細な説明】
【０００１】
【発明の属する技術分野】
本発明は、海中植物育成集魚材に関するものである。
【０００２】
【従来の技術】
日本各地の内湾を中心とする沿岸域の水深０〜１０ｍ程度の砂泥海底には、アマモ，スガモ等の海産顕花植物や、コンブ，ワカメ等の海藻が繁茂している。これらの海中植物の群生地は一般に藻場と呼ばれ、各種魚介類の産卵場所や、幼稚魚はもとより成魚の格好の生育場となることから、水産生物の漁場や再生産の場として重要な機能を担っている。
【０００３】
このようにして育まれた水産生物を得る方法の一つである釣りの一種として、集魚材を撒き、魚が集まってきた所を釣り上げるものがある。魚釣りに用いられる集魚材は、通常「撒き餌（コマセ）」と呼ばれ、冷凍アミ，冷凍オキアミ，イワシのミンチ等の生もの、あるいはサツマイモ，マッシュポテト，おから等のデンプン質素材、赤土、さなぎ粉などを主材とし、各種の魚類の嗜好性に応じて混合したものが用いられている。
【０００４】
【発明が解決しようとする課題】
ところが、近年の埋立て工事の増加や生活・工場排水に伴う水質，底質汚濁、漂砂変化による砂の流出によって海中植物の生育環境が悪化し、全国的にその面積，密度が減少しつつあり、漁獲高の減少や砂の流出による海食の原因の一つとなっている。
【０００５】
そこで、例えば養殖したアマモの株をダイバーにより直接手で海底に移植するなど、魚場の改善や自然回復の手段として人工的に藻場を造成する方法が数多く提案されているが、大掛かりなものとなってしまいコスト的に問題があった。
【０００６】
一方、従来用いられているオキアミなど、小生物からなる撒き餌は、基本的に有機物を主成分とした餌であり、釣り場など、一部の海に集中して大量に撒き餌が投与されると、海洋汚染の問題が生じる虞がある。特に、有機物中に含まれる油分が湾岸近くの海底に沈殿し、海洋の環境破壊を招く問題が指摘されている。また、オキアミなどの撒き餌は、保存することが困難であるため、残った撒き餌は釣り場に投棄されることが多く、環境破壊に拍車をかける要因となっている。
【０００７】
本発明は、上述の事柄に留意してなされたもので、集魚材を用いた釣りを行うことで、アマモ類等の海中植物の繁殖を容易に且つ低コストで達成することができるとともに、海中環境を改善させて水産生物の増加を促進させる海中植物育成集魚材を提供することを目的としている。
【０００８】
【課題を解決するための手段】
即ち、本発明による海中植物育成集魚材は、海底に着底し発芽生育するアマモ類等の海中植物の繁殖体と、撒き餌を含有している点に特徴がある。
【０００９】
上記構成によれば、海中植物の繁殖体（以下、単に繁殖体と記載する。）、即ち種子や根茎，胞子などの自然繁殖体や、胚細胞等より製造される人工繁殖体などは、釣り人によって撒き餌と共に投擲され、自然に海底まで沈降して着底する。
【００１０】
そして、やがてその地で発芽生育して藻場を形成し、さらなる水産生物を育むこととなるのである。
【００１１】
上記の方法によれば、繁殖体の播種者は釣り人であり、特別な工事や人件費を必要とせずに藻場を造成することができる。また、釣り人も、撒き餌を使用することによる環境悪化に対する負い目を感じることなく、安心して釣りを楽しむことができるのである。
【００１２】
また、海中植物、特に海産顕花植物は海水と海底砂泥から栄養塩を吸収する作用があるため、余剰な集魚材を使用してしまった場合でもそれを分解・吸収し、富栄養化等の海洋環境の悪化を未然に防止することになるのである。
【００１３】
なお、繁殖体を土壌改良資材でコーティングした海中植物育成材を使用することもでき（請求項２）、このようにすると、土壌改良資材の重量が加算されることでよりはやく沈降し、誤って水産生物に捕食される可能性が少なくなる。また、投擲場所直下近辺に繁殖体が沈降するため生育希望箇所に播種することができる。さらにコーティング部分が海中植物の生育基盤及び肥料となるため、発芽率・成長力共に向上し好適である。
【００１４】
また、繁殖体単体よりも限界シールズ数が大きくなり、海底を構成する砂泥よりも波浪に対する安定性が高くなる。この事により、繁殖体は海底に埋没し易くなり、海中植物が生育しやすい環境を整えることができるのである。
【００１５】
【発明の実施の形態】
以下、本発明の実施の形態を、図面に基づいて説明する。図１は本発明による海中植物育成集魚材の使用方法の一例を表すものである。
【００１６】
海中植物育成集魚材１は海中植物２の繁殖体３と撒き餌４がほぼ均一に混練された状態で構成されている。ここでいう海中植物２とは、例えばアマモやコアマモ等のアマモ科植物，ベニアマモやリュウキュウアマモ等のシオニラ科植物，ウミヒルモやリュウキュウスガモ等のトチカガミ科植物など、種子により増殖する海産顕花植物や、コンブ，ワカメ等の海藻など、海中で生育する植物全般を指している。
【００１７】
また、撒き餌４には、アミエビやオキアミ等のアミエビ系，シラサエビやブツエビ等のエビ系，さなぎミンチやさなぎ粉などのさなぎ系，イワシミンチやキビナゴ等の魚肉系，オカラやパン粉などの撒き餌のベースとなるものなどからなり、目的とする魚種により適宜組み合わせて混入されている。なお、本発明は上記の例に限定されるものではなく、釣りや養殖等の漁業に使用される撒き餌４全てに適用させることができる。
【００１８】
使用に際しては、まず繁殖体３と撒き餌４を混練した海中植物育成集魚材１を杓子等で掬い上げ、海Ｓの目標とするポイントへ投擲する。海中入水後は、各成分の比重の違い等により海中植物育成集魚材１は分離・分散される。
【００１９】
この際、繁殖体１は海水よりも比重が大きいため、自然に海底Ａまで沈降していき着底する。そして、やがてその地で発芽・生育し、新たなる水産生物５の漁場・再生産の場となる藻場を形成するのである。
【００２０】
そして、形成された藻場は、海水及び海底Ａから栄養塩を分解・吸収し、撒き餌４の撒き過ぎによる海中の富栄養化等、海洋環境の悪化を未然に防止することになるのである。
【００２１】
上記の海中植物２としては、上述した様々な種子を使用することができるが、例えば中国地方ではアマモ，沖縄方面ではリュウキュウアマモ等、使用箇所に元来自生している種を使用すると、海中生態系を乱すことがなく好ましい。
【００２２】
撒き餌４についても上述の通りどのようなものにも適用することができるが、好ましくは自然条件で分解される成分を使用したものにすることが望まれる。
【００２３】
図２は海中植物育成材６を示している。この海中植物育成材６は、１つ若しくは複数の繁殖体３の周囲を被覆材７で覆い、それを固形化したものである。
【００２４】
被覆材７としては、海底Ａと同じく砂泥８を主とし、これに生分解性樹脂被覆を施した肥料９を混合したものを使用しているが、この配合に限られるものではなく、必要に応じて有機質のバークやピートモスなどの土壌改良資材を添加させても良い。また肥料９としても、超遅効性肥料など、その他緩効性や即効性の肥料を選択することが可能である。なお、ここで謂う土壌改良資材とは、土壌の肥沃性や生産性を高める事を目的として、土壌本来の物理的，化学的な性質ならびに微生物的な性質を改良する材料のことを示すものとする。
【００２５】
そして、上記の被覆材７にて１つ若しくは複数の繁殖体３の周囲を覆い、圧縮形成や生分解性樹脂被覆など適宜方法にて固形化し、海中植物育成材６を構築するのである。
【００２６】
上記の海中植物育成材６によれば、繁殖体３単体と比較して比重及び重量が大きくなるため、沈降速度が上昇し、誤って魚に捕食される事が少なくなる。また、投擲箇所の比較的直下へ沈降していくため、希望育成箇所へ播種することが可能となる。
【００２７】
また、海底Ａへ埋没し易くなる為安定し、繁殖体３の被覆部分が生育基盤及び肥料となるため、繁殖体３の発芽率を向上させることができるのである。
【００２８】
上記海中植物育成材６の大きさは適宜設定することができるが、平面視最大径を好ましくは０．２ｃｍ〜２０ｃｍ，より好ましくは０．５ｃｍ〜５ｃｍに設定すると、取り扱いや着底状況の面で効果的である。
【００２９】
また形状は、球状，毬栗状，多角形状，板状，円盤状等適宜選択することができるが、底面せん断応力若しくは底面摩擦速度の大きくなる形状、例えば略直方体とし、海中植物育成材６の限界シールズ数を０．１２以上、より好ましくは０．３以上とすることが望ましい。
【００３０】
ここで、一般に海底Ａにおける波浪等に対する安定性を表す指標としてシールズ数が用いられるが、細砂１０の場合の移動限界シールズ数（それ以下では砂が移動しないことを表す）は０．１１程度とされている。
【００３１】
また、物体の砂への埋没条件の一つとして、埋没物が砂よりも移動抵抗が大きいことが挙げられる。即ち、周辺の砂はある程度動いているが、物体は動かない条件下において、物体は砂内へ埋没していくのである。
【００３２】
よって、図３に示すように、海中植物育成材６の限界シールズ数を細砂１０よりも大きくすることで、適度に砂移動を生じる海域（シールズ数が０．１１よりも大きい状況）において埋没条件を整えやすくし、繁殖体３を海底Ａに埋没させて安定した発芽状況を作り出すことが可能となるのである。
【００３３】
【発明の効果】
以上説明したように、本発明によれば、釣りや漁業に使用される集魚材において、少なくとも海中植物の繁殖体を混入させることにより、低コストで藻場の形成ができ、海中環境の向上に寄与することができる。
【００３４】
また、海中植物の繁殖体の周囲を被覆材で被覆することにより、比重・重量・限界シールズ数が大きくなり、それによって沈降スピードが向上し、また海底へ埋没し易くなり、さらにコーティング部分が植物の生育基盤及び肥料となるため、安定して海中植物を発芽させることができるようになるのである。
【図面の簡単な説明】
【図１】  本発明の第１の実施形態を示す全体図である。
【図２】  （Ａ）は本発明の第２の実施形態を示す斜視図である。
（Ｂ）は本発明の第２の実施形態を示す断面図である。
【図３】  上記第２の発明による、海底への埋没過程を示す図である。
【符号の説明】
１…海中植物育成集魚材，２…海中植物，３…繁殖体，４…撒き餌，５…水産生物，６…海中植物育成材，７…被覆材，８…砂泥，９…肥料，１０…細砂，Ｓ…海，Ａ…海底
【図１】
0003957279.tif 000002
【図２】
0003957279.tif 000003
【図３】
0003957279.tif 000004